(57)【特許請求の範囲】
【請求項１】
昇降平衡装置（２）の低位置微調整機構を有する高さ調整可能式枕（１）であって、
当該高さ調整可能式枕（１）は、
下蓋（１１）と、上蓋（１２）と、を有し、
前記下蓋（１１）と前記上蓋（１２）との間には、エアポンプ（１３）、複数のエア管（１４）、複数のバッグ体（１５）があって、前記複数のバッグ体によって前記上蓋（１２）が上下することにより枕（１）の高さが調整可能式になっているものであり、
さらに、前記下蓋（１１）と前記上蓋（１２）との間において、前記下蓋（１１）上には、１個或いは１個以上の昇降平衡装置（２）が設置されており、
前記昇降平衡装置（２）は、
第一サポートフレーム（２１）と第二サポートフレーム（２２）とを有し、
前記第一サポートフレーム（２１）と前記第二サポートフレーム（２２）とは、互いに同じ長さの棒状体であり、
前記第一サポートフレーム（２１）と前記第二サポートフレーム（２２）とは、互いの中心が軸部（２３）によって枢着されていて、
前記第一サポートフレーム（２１）の低位側となる端部が前記下蓋にスライド変位可能に取り付けられているとともに、前記第一サポートフレーム（２１）の高位側となる端部が前記上蓋に回転軸を介して取り付けられており、
前記第二サポートフレーム（２２）の低位側となる端部が前記下蓋に回転軸を介して取り付けられているとともに、前記第二サポートフレーム（２２）の高位側となる端部が前記上蓋にスライド変位可能に取り付けられており、
前記軸部（２３）の直下に、調整装置（３）が設置されており、
前記調整装置（３）は前記下蓋（１１）構造中に埋設されており、
前記下蓋（１１）には、開口（１１１）が開設され、前記開口（１１１）は、前記軸部（２３）の真下に位置し、
前記開口（１１１）内底縁には、係止部（１１２）を環状に設置し、前記係止部（１１２）にナット（３１）を固定して設置し、
前記ナット（３１）内には、貫通穴付ボルト（３３）が螺接され、
前記貫通穴付ボルト（３３）内部には、穿口（３３１）を開設し、前記貫通穴付ボルト（３３）の上側には上螺合体（３４）を提供し、前記貫通穴付ボルト（３３）の下側には下螺合体（３５）を提供し、螺合ねじ（３６）により前記上螺合体（３４）と前記下螺合体（３５）とを螺接し、前記上螺合体（３４）と前記下螺合体（３５）と前記貫通穴付ボルト（３３）とは、一体連動関係を呈するようになり、
前記ナット（３１）内に対する前記貫通穴付ボルト（３３）の高さ位置を調整することで、前記上螺合体（３４）の頂部の位置を変えるようになっており、
前記昇降平衡装置（２）の下降方向の動作によって前記第一サポートフレーム（２１）と前記第二サポートフレーム（２２）とが下方に降下してきたときに前記上螺合体の頂部が前記第一サポートフレーム（２１）および前記第二サポートフレーム（２２）の両方に接触して、前記第一サポートフレーム（２１）および前記第二サポートフレーム（２２）に対して下げられる最低の高さ制限となり、これにより、前記上蓋の低位置の規制を提供する
ことを特徴とする昇降平衡装置（２）の低位置微調整機構を有する高さ調整可能式枕（１）。
【請求項２】
請求項１に記載の昇降平衡装置（２）の低位置微調整機構を有する高さ調整可能式枕（１）において、
前記下螺合体（３５）の底面には、結合部を設置し、
前記結合部は、一の字形、十の字形、米の字形、多角形の内の任意の一つの凹槽であって、前記結合部は、対応する調整部材（４）の接合用に提供されるものであり、
前記調整部材（４）は、前記下蓋の下方から前記開口（１１１）を通して前記凹槽に係合して、前記貫通穴付ボルト（３３）の回転操作を行うためのものであって、
前記調整部材（４）は、３つ以上の端部を有する形状であって、前記端部のうちの３つを、第１端部、第２端部、第３端部とするとき、
前記第１端部の中央には、第一接合部（４１）を設置し、前記第一接合部（４１）両側には、第一係止部（４１１）を対応して設置し、
前記第２端部の中央には、第二接合部（４２）を設置し、前記第二接合部（４２）両側には、第二係止部（４２１）を対応して設置し、
前記第３端部の中央には、第三接合部（４３）を設置し、前記第三接合部（４３）両側には、第三係止部（４３１）を対応して設置し、
前記第一接合部（４１）、第二接合部（４２）および第三接合部（４３）は、それぞれ前記結合部の前記凹槽に係合可能であって、
前記第一係止部（４１１）、第二係止部（４２１）および第三係止部（４３１）の幅は、前記下蓋（１１）の開口（１１１）より大きく、
かつ、前記第一接合部（４１）、第二接合部（４２）および第三接合部（４３）の高さはそれぞれ異なっている
ことを特徴とする昇降平衡装置（２）の低位置微調整機構を有する高さ調整可能式枕（１）
【請求項３】
請求項２に記載の昇降平衡装置（２）の低位置微調整機構を有する高さ調整可能式枕（１）であって、
前記昇降平衡装置（２）と調整装置（３）との組は、互いに間隔をあけて二組設置されている
ことを特徴とする昇降平衡装置（２）の低位置微調整機構を有する高さ調整可能式枕（１）
【請求項４】
請求項１または請求項２に記載の昇降平衡装置（２）の低位置微調整機構を有する高さ調整可能式枕（１）において、
前記ナット（３１）は、多辺形で、
前記ナット（３１）上方には、定位体（３２）を設置し、前記定位体（３２）は、概ね凹字形断面を呈し、中央には、上開口（３２１）を開設し、
前記定位体（３２）両側には、上向き、かつ外向きに、対応する２個の延伸板（３２２）を水平に延伸し、複数のねじ（３２３）を利用し、前記各延伸板（３２２）を、前記下蓋（１１）上の１個或いは１個以上の固定柱（１１３）位置に螺接でき、
前記上螺合体（３４）の頂点面環状縁には、上係止リング（３４１）を有し、前記上螺合体（３４）中央には、上螺合ブロック（３４２）を下方へと設置し、前記上螺合ブロック（３４２）底面には、陥没した上螺合槽（３４３）を内向きに設置し、前記上螺合槽（３４３）は、多角形を呈し、
前記下螺合体（３５）底面環状縁にも、下係止リング（３５１）を有し、前記下螺合体（３５）には、下螺合ブロック（３５２）を上向きに設置し、前記下螺合ブロック（３５２）頂点面には、下螺合凸ブロック（３５３）をさらに設置し、前記下螺合凸ブロック（３５３）は、多角形構造で、同様に多角形構造である前記上螺合槽（３４３）は、前記下螺合凸ブロック（３５３）に、嵌合と同期回転作用を提供できる
ことを特徴とする昇降平衡装置（２）の低位置微調整機構を有する高さ調整可能式枕（１）。
【発明の詳細な説明】
【技術分野】
【０００１】
本発明による昇降平衡装置の低位置微調整機構は高さ微調整位置限定機構に関し、特に昇降平衡装置に応用される低い位置での位置限定用技術領域に関する。
【背景技術】
【０００２】
人が仰向け寝する時と横向き寝する時では、求められる最良の枕の高さは異なる。
多くの人の睡眠障害の原因の一つに枕の高さが不適当なことが挙げられる。
特に異なる寝姿、即ち仰向け寝であるか、横向き寝であるかに対応して、即時に自動的に高さが調整できないと言う問題がある。
【０００３】
そのため、発明人は高さを調整できる枕構造をかつて設計したが、その調整は高い位置まで上昇すると固定され、使用者の体型の違いに適合させられないと言う欠点があった。
上記欠点を解決するため、本発明を提出し、本発明により、睡眠用枕の高さを調整できるようにし、特に微調整可能とし、この睡眠用枕の高さ調整機能により、体型がそれぞれ異なる消費者のニーズに確実に応えることを期待する。
【発明の概要】
【発明が解決しようとする課題】
【０００４】
前記先行技術には、高い位置まで上昇すると固定され、使用者の体型の違いに適合させられないと言う欠点がある。
【課題を解決するための手段】
【０００５】
本発明は従来のエアバッグ昇降式睡眠用枕の高さを最低まで降下させた時に微調整できないと言う制限に対して、低位置微調整機構を提供し、睡眠用枕の昇降平衡装置下方に設置し、微調整機構の高さを調整することで、睡眠用枕の最低位置の高さを微調整する機能を達成し、それぞれ異なる体型の消費者のニーズに応えることを主要な目的とする昇降平衡装置の低位置微調整機構に関する。
【０００６】
本発明による昇降平衡装置の低位置微調整機構は、手動方式で專用調整部材に対応し調整を行い、特に睡眠用枕は従来技術における昇降平衡装置では両側にそれぞれ設置されていたが、調整高が両側で異なることを避けるため、本発明では專用調整部材を利用し両側の調整高を同じにし、調整後の枕面の高さに偏りは生じない。
【０００７】
本発明による高さ調整可能式枕は、下蓋、上蓋を有し、その間にはエアポンプ、複数のエア管、複数のバッグ体、２個の昇降平衡装置を配置し、該各昇降平衡装置は少なくとも、第一サポートフレーム、第二サポートフレームが、軸部に対応して交差し接続して構成され、該軸部の交差位置下方には、調整装置を設置し、該調整装置の最高位置の高さを調節することで、該２個のサポートフレームが降下可能な最低位置を制限することができる。
【０００８】
好ましくは、該調整装置は、該下蓋構造中に埋設され、該下蓋には、開口が開設され、該開口は、該軸部の真下に位置し、該開口内底縁には、係止部を環状に設置し、該開口脇の適当な位置には、複数の固定柱を直立状に設置する。
【０００９】
好ましくは、該調整装置は、ナットを有し、該ナットは、多辺形で、該ナットは、該下蓋の開口位置に螺接し、しかも該開口の係止部を利用し、該ナットが下方へと脱出しないように制限し、該ナット上方には、定位体を設置し、該定位体は、概ね凹字形断面を呈し、中央には、上開口を開設し、該定位体両側には、上向き、かつ外向きに、対応する２個の延伸板を水平に延伸し、複数のねじを利用し、該各延伸板を、該下蓋上の固定柱位置に固定して設置することができ、該ナット内部には、貫通穴付ボルトを螺接し、該貫通穴付ボルトは該ナットに相対して移動し、しかも該貫通穴付ボルト内部には、穿口を開設し、該穿口の上、下端には、上螺合体を提供し下螺合体に対応し、螺合ねじにより螺接され、該ナット内には、貫通穴付ボルトを螺接し、該貫通穴付ボルトは、該ナットに相対して回転でき、しかも該貫通穴付ボルト中央には、穿口を貫通状に設置し、該穿口の上、下端には、上螺合体を提供し下螺合体に対応し、螺合ねじにより螺接され、該上螺合体の頂点面環状縁には、上係止リングを有し、該上螺合体中央には、上螺合ブロックを下方へと設置し、該上螺合ブロック底面には、陥没した上螺合槽を内向きに設置し、該上螺合槽は、多角形を呈し、該下螺合体底面環状縁にも、下係止リングを有し、該下螺合体には、下螺合ブロックを上向きに設置し、該下螺合ブロック頂点面には、下螺合凸ブロックをさらに設置し、該下螺合凸ブロックは、多角形構造で、同様に多角形構造である該上螺合槽は、該下螺合凸ブロックに、嵌合と同期回転の作用を提供する。
【００１０】
好ましくは、該下蓋は、該開口縁位置の底面に、凸リング体を増設し、これによりこの位置の材料の厚み及び空間を拡大し、調整装置の構造を収容できる。
【００１１】
該下螺合体の底面には、結合部を設置し、該結合部は、凹槽で、該凹槽は一の字形、十の字形、米の字形或いは多角形で、該結合部は、対応して調整部材を接合用に提供する。
【００１２】
該調整部材は概ね十の字形体を呈し、任意の一端の中央には、第一接合部を設置し、該第一接合部両側には、第一係止部を対応して設置し、該第一接合部の幅と該下螺合体底部の結合部は同様であるが、該各第一係止部は、幅の要因で、該下蓋の開口内に進入することはできず、該調整部材の反対端の中央には、第二接合部を設置し、該第二接合部両側には、第二係止部を対応して設置し、しかも、その他の反対端の中央には、第三接合部を設置し、該第三接合部両側には、第三係止部を対応して設置し、該各第一接合部、第二接合部と第三接合部の高さはそれぞれ異なる。
【００１３】
該第一接合部、第二接合部と第三接合部のサイズは、該第一接合部が最も短く、第二接合部は二番目に短く、該第三接合部が最も長い。
【００１４】
該調整部材は、必要なある１個の接合部を、該下螺合体底部の結合部に挿入後に回すことで、その両側の係止部が、下蓋開口周縁位置の凸リング体に接触するまで該下螺合体、貫通穴付ボルトと上螺合体を回転させられる。
【図面の簡単な説明】
【００１５】
【図１】高さ調整可能枕に本発明を応用する局部立体分解図である。
【図２】本発明の立体分解図である。
【図３】本発明の断面模式図である。
【図４】本発明において調整を行う様子を示す立体模式図である。
【図５】本発明において調整を行う様子を示す断面模式図である。
【発明を実施するための形態】
【００１６】
（一実施形態）
図１、図２、図３に示す通り、本発明による昇降平衡装置の低位置微調整機構において、高さ調整可能式枕１は、下蓋１１、上蓋１２を有し、その間にはエアポンプ１３、複数のエア管１４、複数のバッグ体１５、２個の昇降平衡装置２を配置する。
昇降平衡装置２は少なくとも、第一サポートフレーム２１、第二サポートフレーム２２が、軸部２３に対応して交差し接続して構成される。
本発明の特?は以下の通りである。
軸部２３の交差位置下方には、調整装置３を設置し、調整装置３の最高位置の高さを調節することで、第一サポートフレーム２１と第二サポートフレーム２２が降下可能な最低位置を制限することができる。
【００１７】
調整装置３は、下蓋１１構造中に埋設され、下蓋１１には、開口１１１が開設される。
開口１１１は、軸部２３の真下に位置し、開口１１１内底縁には、係止部１１２を環状に設置する。
開口１１１脇の適当な位置には、複数の固定柱１１３を直立状に設置する。
調整装置３は、ナット３１を有する。
ナット３１は、多辺形で、ナット３１は、下蓋１１の開口１１１位置に組み付け、及び回転を防止し、しかも開口１１１の係止部１１２を利用し、ナット３１が下方へと脱出しないように制限する。
ナット３１上方には、定位体３２を設置し、定位体３２は、概ね凹字形断面を呈し、中央には、上開口３２１を開設する。
定位体３２両側には、上向き、かつ外向きに、対応する２個の延伸板３２２を水平に延伸し、複数のねじ３２３を利用し、各延伸板３２２を、下蓋１１上の固定柱１１３位置に固定して設置することができる。
また、ナット３１内には、貫通穴付ボルト３３を螺接し、貫通穴付ボルト３３は、ナット３１に相対して回転できる。
しかも、貫通穴付ボルト３３中央には、穿口３３１を貫通状に設置し、穿口３３１の上、下端には、それぞれ上螺合体３４を提供し、下螺合体３５に対応し、螺合ねじ３６により螺合し緊密に圧迫する。
上螺合体３４の頂点面環状縁には、上係止リング３４１を有し、上螺合体３４中央には、上螺合ブロック３４２を下方へと設置する。
上螺合ブロック３４２底面には、陥没した上螺合槽３４３を内向きに設置し、上螺合槽３４３は、多角形を呈する。
下螺合体３５底面環状縁にも、下係止リング３５１を有し、下螺合体３５には、下螺合ブロック３５２を上向きに設置する。
下螺合ブロック３５２頂点面には、下螺合凸ブロック３５３をさらに設置し、下螺合凸ブロック３５３は、多角形構造である。
同様に多角形構造である上螺合槽３４３は、下螺合凸ブロック３５３に、嵌合と同期回転の作用を提供する。
これにより、下螺合体３５が回転させられると、上螺合体３４との螺合と緊密圧迫作用により、貫通穴付ボルト３３は回されて昇降する。
【００１８】
下蓋１１は、開口１１１縁位置の底面に、凸リング体１１４を増設し、これによりこの位置の材料の厚み及び空間を拡大し、調整装置３の構造を収容できる。
【００１９】
下螺合体３５の底面には、結合部３５２を設置し、結合部３５２は、凹槽で、凹槽は一の字形、十の字形、米の字形或いは多角形である。
結合部３５２は、対応して調整部材４を接合用に提供する（図４参照）。
調整部材４は概ね十の字形体を呈し、任意の一端の中央には、第一接合部４１を設置（図５参照）し、第一接合部４１両側には、第一係止部４１１を対応して設置する。
第一接合部４１の幅は、結合部３５２と同様であるが、各第一係止部４１１は、幅の要因で、下蓋１１の開口１１１内に進入することはできない。
また、調整部材４の反対端の中央には、第二接合部４２を設置し、第二接合部４２両側には、第二係止部４２１を対応して設置する。
しかも、その他の反対端の中央には、第三接合部４３を設置し、第三接合部４３両側には、第三係止部４３１を対応して設置する。
各第一接合部４１、第二接合部４２と第三接合部４３の高さはそれぞれ異なる。
第一接合部４１、第二接合部４２と第三接合部４３のサイズは、第一接合部４１が最も短く、第二接合部４２は二番目に短く、第三接合部４３が最も長い。
調整部材４は、必要なある１個の接合部４１、４２、４３を、結合部３５２に挿入後に回すことで、その両側の係止部が、下蓋１１開口１１１周縁位置の凸リング体１１４に接触するまで、下螺合体３５、貫通穴付ボルト３３と上螺合体３４を回転させ、それにより昇降させられる。
【００２０】
本発明実施時には、昇降平衡装置２が上昇すると、調整装置３は、作用を生じない。
但し、昇降平衡装置２が下降すると、最良の必要低い位置を取得するため、図４と図５に示す通り、第三接合部４３を結合部３５２に挿入し、同時に調整部材４を回し、これにより下螺合体３５と貫通穴付ボルト３３は、各第三係止部４３１が凸リング体１１４に接触するまで、ナット３１に相対して上方へと移動する。
この時、上螺合体３４は、必要な高さ位置まで上昇し、昇降平衡装置２が下降すると、各第一サポートフレーム２１と第二サポートフレーム２２底部は、上螺合体３４に接触し、その低い位置での高さを制限する。
この高さが、必要な枕１に、人体仰向け寝の高さを提供する。
【００２１】
第三接合部４３を結合部３５２に挿入して回転後に調整される低い位置での高さが必要に合わない時には、只需要再更改插入その
他の異なるサイズの第一接合部４１或いは第二接合部４２に変えて挿入した後に調整するだけで、調整の高さを変えることができる。
【００２２】
調整部材４も単独の多数の異なるサイズの接合部に設計でき、こうして挿入、調整に用いられる。
【００２３】
上記を総合すれば、本発明による昇降平衡装置の低位置微調整機構は、簡単な構造を昇降平衡装置下方に設置することで、低い位置を微調整でき、特に調整部材を対応して使用することで、両側の調整高度を一致させることができる。
【００２４】
前述した本発明の実施形態は本発明を限定するものではなく、よって、本発明により保護される範囲は後述される特許請求の範囲を基準とする。
【符号の説明】
【００２５】
１  枕、
１１  下蓋、
１１１  開口、
１１２  係止部、
１１３  固定柱、
１１４  凸リング体、
１２  上蓋、
１３  エアポンプ、
１４  エア管、
１５  バッグ体、
２  昇降平衡装置、
２１  第一サポートフレーム、
２２  第二サポートフレーム、
２３  軸部、
３  調整装置、
３１  ナット、
３２  定位体、
３２１  上開口、
３２２  延伸板、
３２３  ねじ、
３３  貫通穴付ボルト、
３３１  穿口、
３４  上螺合体、
３４１  上係止リング、
３４２  上螺合ブロック、
３４３  上螺合槽、
３５  下螺合体、
３５１  下係止リング、
３５２  下螺合ブロック、
３５３  下螺合凸ブロック、
３６  螺合ねじ、
４  調整部材、
４１  第一接合部、
４１１  第一係止部、
４２  第二接合部、
４２１  第二係止部、
４３  第三接合部、
４３１  第三係止部。
【図１】
0006915813.tif 000002
【図２】
0006915813.tif 000003
【図３】
0006915813.tif 000004
【図４】
0006915813.tif 000005
【図５】
0006915813.tif 000006